【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
ａ）互いに反応することの可能な第１成分および第２成分を有する自由に流れるカーテンを形成する工程、および
ｂ）該カーテンを連続ウエブ基材と接触させる工程
を含む被覆基材の製造方法。
【請求項２】
ａ）少なくとも２つの層を有し、１つの層は異なる層中の第２成分と反応することが可能である第１成分を含む複合多層の自由に流れるカーテンを形成する工程、および
ｂ）該カーテンを連続ウエブ基材と接触させる工程
を含むことを特徴とする請求項１に記載の方法。
【請求項３】
工程ａ）の多層の自由に流れるカーテンにおいて、少なくとも１層の内部層が、第１成分を含む層と第２成分を含む層の間に存在することを特徴とする請求項２に記載の方法。
【請求項４】
工程ａ）の第１成分および第２成分が互いに反応する反応タイプが、アニオン−カチオン相互作用、架橋反応、フリーラジカル反応、段階成長反応、付加反応、ＵＶ誘発硬化反応、電子ビーム誘発硬化反応、酸−塩基反応、凝集／凝固反応およびそれらの組合わせからなる群から選択されることを特徴とする請求項２または３に記載の方法。
【請求項５】
ａ）反応することの可能な組成物を含む少なくとも１つの層を有する自由に流れるカーテンを形成する工程、および
ｂ）該カーテンを連続ウエブ基材と接触させる工程
を含むことを特徴とする請求項１に記載の方法。
【請求項６】
ａ）互いに反応することの可能な第１成分および第２成分を含む少なくとも１つの層を有する自由に流れるカーテンを形成する工程、および
ｂ）該カーテンを連続ウエブ基材と接触させる工程
を含むことを特徴とする請求項５に記載の方法。
【請求項７】
工程ａ）の少なくとも第１成分および少なくとも第２成分が互いに反応する反応タイプが、アニオン−カチオン相互作用、フリーラジカル反応、段階成長反応、付加反応、ＵＶ誘発硬化反応、電子ビーム誘発硬化反応、酸−塩基反応、凝集／凝固反応およびそれらの組合わせからなる群から選択されることを特徴とする請求項５または６に記載の方法。
【請求項８】
工程ａ）の自由に流れるカーテンが、複合多層の自由に流れるカーテンであることを特徴とする請求項５、６または７に記載の方法。
【請求項９】
工程ａ）の第１成分と第２成分の間の反応が、自由に流れるカーテンにおいておよび／または基材に施用されたときに、ならびに／あるいは熱、圧力、放射線および／または酸素により開始されたときに起こることを特徴とする請求項１〜８のいずれか１項に記載の方法。
【請求項１０】
工程ａ）において、第１成分がポリビニルアルコールであり、かつ第２成分がホウ砂であることを特徴とする請求項１〜９のいずれか１項に記載の方法。
【請求項１１】
工程ａ）において、第１成分がカチオン性デンプンであり、かつ第２成分がアニオン性コーティング組成物であることを特徴とする請求項１〜１０のいずれか１項に記載の方法。
【請求項１２】
工程ａ）の自由に流れるカーテンが、印刷適性を保証する上層を含むことを特徴とする請求項１〜１１のいずれか１項に記載の方法。
【請求項１３】
工程ｂ）の連続ウエブ基材が、２０〜４００ｇ／ｍ2の坪量を有することを特徴とする請求項１〜１２のいずれか１項に記載の方法。
【請求項１４】
工程ａ）の多層カーテンの層のうちの少なくとも１つが、３０ｇ／ｍ2未満の乾燥時コーティング質量を有することを特徴とする請求項１〜１３のいずれか１項に記載の方法。
【請求項１５】
工程ａ）の多層カーテンが、６０ｇ／ｍ2未満の乾燥時コーティング質量を有することを特徴とする請求項１〜１４のいずれか１項に記載の方法。
【請求項１６】
工程ａ）の多層カーテンが、少なくとも３層を含むことを特徴とする請求項１〜１５のいずれか１項に記載の方法。
【請求項１７】
工程ａ）の多層カーテンが、少なくとも１種の顔料を含む少なくとも１つの層を含むことを特徴とする請求項１〜１６のいずれか１項に記載の方法。
【請求項１８】
顔料が、粘土、カオリン、焼成粘土、タルク、炭酸カルシウム、二酸化チタン、サテンホワイト、合成ポリマー顔料、酸化亜鉛、硫酸バリウム、セッコウ、シリカ、アルミナ三水和物、雲母およびケイソウ土からなる群から選択されることを特徴とする請求項１７に記載の方法。
【請求項１９】
工程ａ）の多層の自由に流れるカーテンの少なくとも１つの層が結合剤を含むことを特徴とする請求項１〜１８のいずれか１項に記載の方法。
【請求項２０】
結合剤が、スチレン−ブタジエンラテックス、スチレン−アクリレートラテックス、スチレン−アクリレート−アクリロニトリルラテックス、スチレン−ブタジエン−アクリレート−アクリロニトリルラテックス、スチレン−ブタジエン−アクリロニトリルラテックス、スチレン−マレイン酸無水物ラテックス、スチレン−アクリレート−マレイン酸無水物ラテックス、多糖、タンパク質、ポリビニルピロリドン、ポリビニルアルコール、ポリビニルアセテート、セルロース誘導体およびそれらの混合物からなる群から選択されることを特徴とする請求項１９に記載の方法。
【請求項２１】
工程ａ）の多層の自由に流れるカーテンの少なくとも１つの層が、少なくとも１種の光沢剤を含むことを特徴とする請求項１〜２０のいずれか１項に記載の方法。
【請求項２２】
工程ａ）の多層の自由に流れるカーテンの少なくとも１つの層が、少なくとも１種の界面活性剤を含むことを特徴とする請求項１〜２１のいずれか１項に記載の方法。
【請求項２３】
工程ａ）の多層の自由に流れるカーテンの少なくとも１つの層が、少なくとも４０質量パーセントの固形分含有率を有することを特徴とする請求項１〜２２のいずれか１項に記載の方法。
【請求項２４】
工程ａ）の多層の自由に流れるカーテンが、少なくとも１０質量パーセントの固形分含有率を有することを特徴とする請求項１〜２３のいずれか１項に記載の方法。
【請求項２５】
工程ｂ）の連続ウエブ基材が原紙または板紙であることを特徴とする請求項１〜２４のいずれか１項に記載の方法。
【請求項２６】
工程ｂ）の連続ウエブ基材が、予備コーティングも予備カレンダー掛けもされていないことを特徴とする請求項１〜２５のいずれか１項に記載の方法。
【請求項２７】
工程ｂ）の連続ウエブ基材が、少なくとも３００ｍ／ｍｉｎのウエブ速度を有することを特徴とする請求項１〜２６のいずれか１項に記載の方法。
【請求項２８】
請求項１〜２７のいずれか１項に記載の方法により得ることができる被覆基材。
【請求項２９】
被覆基材が被覆された紙または板紙であることを特徴とする請求項２８に記載の被覆基材。
【請求項３０】
ａ）それ自体とまたは別の化合物と反応することの可能な少なくとも１つの成分を有する自由に流れるカーテンを形成する工程、および
ｂ）該カーテンを連続ウエブ基材と接触させる工程
を含む被覆基材の製造方法であって、該カーテンの少なくとも１つの成分は、コーティング過程中に反応し始めかつコーティング過程が完了する前に本質的に完全に反応することを特徴とする方法。
【請求項３１】
ａ）互いに反応することの可能な第１成分および第２成分を含む少なくとも１つの層を有する自由に流れるカーテンを形成する工程、および
ｂ）該カーテンを連続ウエブ基材と接触させる工程
を含むことを特徴とする請求項３０に記載の方法。
【請求項３２】
工程ａ）の自由に流れるカーテンが複合多層の自由に流れるカーテンであることを特徴とする請求項３０に記載の方法。
【請求項３３】
工程ａ）の第１成分および第２成分が互いに反応する反応タイプが、アニオン−カチオン相互作用、フリーラジカル反応、段階成長反応、付加反応、ＵＶ誘発硬化反応、電子ビーム誘発硬化反応、酸−塩基反応、凝集／凝固反応およびそれらの組合わせからなる群から選択されることを特徴とする請求項３１に記載の方法。
【請求項３４】
工程ａ）の第１成分と第２成分の間の反応が、自由に流れるカーテンにおいておよび／または基材に施用された時に、並びに／あるいは熱、放射線および／または酸素により開始された時に起こることを特徴とする請求項３１に記載の方法。
【請求項３５】
工程ａ）の自由に流れるカーテンが、印刷適性を保証する上層を含むことを特徴とする請求項３０に記載の方法。
【請求項３６】
工程ａ）の多層カーテンの層のうちの少なくとも１つが、３０ｇ／ｍ2未満の乾燥時コーティング質量を有することを特徴とする請求項３２に記載の方法。
【請求項３７】
工程ａ）の多層カーテンが６０ｇ／ｍ2未満の乾燥時コーティング質量を有することを特徴とする請求項３２に記載の方法。
【請求項３８】
工程ａ）の多層カーテンが、少なくとも３層を含むことを特徴とする請求項３２に記載の方法。
【請求項３９】
工程ａ）の多層カーテンが、少なくとも１種の顔料を含む少なくとも１つの層を含むことを特徴とする請求項３２に記載の方法。
【請求項４０】
顔料が、粘土、カオリン、焼成粘土、タルク、炭酸カルシウム、二酸化チタン、サテンホワイト、合成ポリマー顔料、酸化亜鉛、硫酸バリウム、セッコウ、シリカ、アルミナ三水和物、雲母およびケイソウ土からなる群から選択されることを特徴とする請求項３２に記載の方法。
【請求項４１】
工程ａ）の多層の自由に流れるカーテンの少なくとも１つの層が結合剤を含むことを特徴とする請求項３２に記載の方法。
【請求項４２】
結合剤が、スチレン−ブタジエンラテックス、スチレン−アクリレートラテックス、スチレン−アクリレート−アクリロニトリルラテックス、スチレン−ブタジエン−アクリレート−アクリロニトリルラテックス、スチレン−ブタジエン−アクリロニトリルラテックス、スチレン−マレイン酸無水物ラテックス、スチレン−アクリレート−マレイン酸無水物ラテックス、多糖、タンパク質、ポリビニルピロリドン、ポリビニルアルコール、ポリビニルアセテート、セルロース誘導体およびそれらの混合物からなる群から選択されることを特徴とする請求項４１に記載の方法。
【請求項４３】
工程ａ）の多層の自由に流れるカーテンの少なくとも１つの層が、少なくとも１種の光沢剤を含むことを特徴とする請求項３２に記載の方法。
【請求項４４】
工程ａ）の多層の自由に流れるカーテンの少なくとも１つの層が少なくとも１種の界面活性剤を含むことを特徴とする請求項３２に記載の方法。
【請求項４５】
工程ａ）の多層の自由に流れるカーテンの少なくとも１つの層が、少なくとも４０質量パーセントの固形分含有率を有することを特徴とする請求項３２に記載の方法。
【請求項４６】
工程ａ）の多層の自由に流れるカーテンが、少なくとも１０質量パーセントの固形分含有率を有することを特徴とする請求項３２に記載の方法。
【請求項４７】
工程ｂ）の連続ウエブ基材が原紙または板紙であることを特徴とする請求項３０に記載の方法。
【請求項４８】
工程ｂ）の連続ウエブ基材が予備コーティングも予備カレンダー掛けもされていないことを特徴とする請求項３０に記載の方法。
【請求項４９】
工程ｂ）の連続ウエブ基材が、少なくとも３００ｍ／ｍｉｎのウエブ速度を有することを特徴とする請求項３０に記載の方法。
【請求項５０】
工程ｂ）の連続ウエブ基材が、２０〜４００ｇ／ｍ2の坪量を有することを特徴とする請求項３０に記載の方法。
【請求項５１】
請求項３０に記載の方法により得ることができる被覆基材。
【請求項５２】
被覆基材が被覆された紙または板紙であることを特徴とする請求項５１に記載の被覆基材。
【請求項５３】
カーテンをスロットダイで形成することを特徴とする請求項１に記載の方法。
【請求項５４】
カーテンをスライドダイで形成することを特徴とする請求項１に記載の方法。
【請求項５５】
カーテンの少なくとも１つの層がポリエチレンオキシドを含むことを特徴とする請求項１に記載の方法。
【請求項５６】
カーテンが界面層においてポリエチレンオキシドを含むことを特徴とする請求項１に記載の方法。
【請求項５７】
カーテンをスロットダイで形成することを特徴とする請求項３０に記載の方法。
【請求項５８】
カーテンをスライドダイで形成することを特徴とする請求項３０に記載の方法。
【請求項５９】
カーテンの少なくとも１つの層がポリエチレンオキシドを含むことを特徴とする請求項３０に記載の方法。
【請求項６０】
カーテンが界面層においてポリエチレンオキシドを含むことを特徴とする請求項３０に記載の方法。
【請求項６１】
工程ａ）において、第１成分がデンプンであり、かつ第２成分がジアルデヒドであることを特徴とする請求項１〜２７、３０〜５０および５３〜６０のいずれか１項に記載の方法。
【請求項６２】
工程ａ）において、第１成分がエポキシ官能性ポリマーであり、かつ第２成分がアミン硬化剤であることを特徴とする請求項１〜２７、３０〜５０および５３〜６０のいずれか１項に記載の方法。
【請求項６３】
工程ａ）において、第１成分がポリオールであり、かつ第２成分がポリイソシアネートであることを特徴とする請求項１〜２７、３０〜５０および５３〜６０のいずれか１項に記載の方法。
【請求項６４】
工程ａ）において、第１成分がアミノシランエステルであり、かつ第２成分がグリシジルシランエステルであることを特徴とする請求項１〜２７、３０〜５０および５３〜６０のいずれか１項に記載の方法。
【手続補正２】
【補正対象書類名】明細書
【補正対象項目名】００４１
【補正方法】変更
【補正の内容】
【００４１】
本発明の機能層は、たとえば、次のものの少なくとも１つを含有し得る。すなわち、エチレンアクリル酸のポリマー；ポリエチレン；他のポリオレフィン；ポリウレタン；エポキシ樹脂；ポリエステル；スチレンブタジエンラテックス、スチレンアクリレートラテックス、カルボキシル化ラテックス、デンプン、タンパク質、等のような接着剤；デンプン、スチレン−アクリルコポリマー、スチレン−マレイン酸無水物コポリマー、ポリビニルアルコール、ポリビニルアセテート、カルボキシメチルセルロース、等のようなサイズ剤；およびシリコーン、ロウ、等のような遮断剤。
【手続補正３】
【補正対象書類名】明細書
【補正対象項目名】００７７
【補正方法】変更
【補正の内容】
【００７７】
【表１】
2004154773.tif 000001
【手続補正４】
【補正対象書類名】明細書
【補正対象項目名】００８０
【補正方法】変更
【補正の内容】
【００８０】
【表２】
2004154773.tif 000002